(57)【要約】【課題】  開口性，落下強度を損なうことなく、脈動の発生しにくい流出性のよいステイオンタブ方式の易開封性缶蓋を提供する。【解決手段】ステイオンタブ方式の易開封性缶蓋において、リベット部３とタブ７の中心を通る線を基準線Ｎとし、リベット部３の中心から開口予定領域４を隔ててリベット部３と反対側のスコア５と基準線Ｎとの交点であるスコア先端部ｂまでの長さを開口部長さ（Ｌ）、基準線Ｎと直交する方向の最大幅を開口部幅（Ｗ）とすると、リベット部３の位置を缶蓋本体の中心Ｏに対して基準線Ｎに沿って開口予定領域４と反対側に偏芯させ、及び／又は、スコア先端部ｂを缶蓋本体２の周縁部であるパネル周縁部２１ａに近づけて、開口部長さ（Ｌ）を２３ｍｍ〜２８ｍｍの範囲に、かつ開口部幅（Ｗ）を２７ｍｍ以下に設定したことを特徴とする。【選択図】  図２
2009096493.tif 000002
【特許請求の範囲】
【請求項１】
缶蓋本体に突設したリベット部と缶蓋本体の周縁部との間に開口予定領域を画定する環状のスコアを刻設すると共に、該スコアのリベット部近傍部分を一部開いて開口予定領域内部と外部をつなぐヒンジ部とし、
前記リベット部に固定され先端部が開口予定領域に当接するタブによって開口予定領域を押し込んでスコアをヒンジ部の一端からヒンジ部の他端まで開口予定領域の周縁に沿って破断して開口部を形成し、破断した開口片をヒンジ部にて屈曲させて缶内に折り込む構造の易開封性缶蓋において、
前記リベット部とタブの中心を通る線を基準線とし、前記リベット部の中心から開口予定領域を隔ててリベット部と反対側のスコアと基準線との交点であるスコア先端部までの長さを開口部長さ（Ｌ）、基準線と直交する方向の最大幅を開口部幅（Ｗ）とすると、
前記リベット部の位置を缶蓋本体の中心に対して基準線に沿って開口予定領域と反対側に偏芯させ、及び／又は前記スコア先端部を缶蓋本体の周縁部に近づけて、前記開口部長さ（Ｌ）を２３ｍｍ〜２８ｍｍの範囲に、かつ開口部幅（Ｗ）を２７ｍｍ以下に設定した
ことを特徴とする易開封性缶蓋。
【請求項２】
前記開口部長さ（Ｌ）を開口部幅（Ｗ）よりも長く設定したことを特徴とする請求項１に記載の易開封性缶蓋。
【発明の詳細な説明】
【技術分野】
【０００１】
本発明は、いわゆるステイオンタブ方式の易開封性缶蓋に関し、特に開口部を拡大した易開封性缶蓋に関する。
【背景技術】
【０００２】
従来のこの種のステイオンタブ方式の易開封性缶蓋としては、たとえば、図４（Ａ），（Ｂ）に示すような、開口部を広口とした易開封性缶蓋が知られている。
この開封性缶蓋１０１は、缶蓋本体１０２の中心Ｏに突設されたリベット部１０３と缶蓋本体１０２の周縁部との間に、開口予定領域１０４を画定する環状のスコア１０５が刻設されている。スコア１０５のリベット部１０３近傍部分は一部開いて開口予定領域１０４内部と外部をつなぐヒンジ部１０６となっており、リベット部１０３に固定されたタブ１０７の先端部１０７ａによって開口予定領域１０４を押し込み、スコア１０５をヒンジ部１０６の一端から他端まで開口予定領域１０４の周縁に沿って破断して開口部１０８を形成し、破断した開口片１０９をヒンジ部１０６にて屈曲させて缶内に折り込む構造となっている。
【０００３】
開口予定領域１０４は、リベット部１０３とタブ１０７の中心を通る線を基準線Ｎとすると、基準線方向の開口部長さＬ１はリベット部１０３と缶蓋本体１０２の周縁によって制限されるので、基準線Ｎと直交する方向の最大幅である開口部幅Ｗ１を拡大して開口面積の増大が図られていた。
【０００４】
しかしながら、このように広口としているにも関わらず、内容液を流出する際には詰まり気味で脈動が発生し、内容液の流出性が悪い。
【０００５】
そこで、広口の開口部１０８をさらに拡大することが考えられるが、開口部１０８をさらに横に拡大しようとした場合、リベット部１０３の位置が缶蓋本体１０２のセンターのままでは開口性が悪くなる。十分な開口性を得るためには、スコア１０５の切り込み深さをかなり深くしなければならず、それではスコア加工による亀裂等の問題が発生してしまう。その結果、現行の２０６径，２０４径では、開口部幅Ｗ１を２５ｍｍ程度まで拡大するのが限界であり、脈動を解消する十分な開口面積を確保することができなかった。
【０００６】
一方、本出願人は、既に、図４（Ｃ）に示すように、リベット部２０３を缶蓋本体２０２の中心Ｏに対して開口予定領域２０４と反対側に偏芯させてオフセンターとし、開口部となる開口予定領域２０４の開口部幅Ｗ２と開口部長さＬ２を広口の開口部１０８と相似形で拡大することで、開口部幅Ｗ２を通常の広口の開口部幅Ｗ１の限界を越えて大きくしスコア２０５の開口性を損なうことなく開口面積を拡大した超広口の易開封性缶蓋を提案している（特許文献１参照）。
しかし、このように超広口タイプとした場合、大きな開口面積を確保することができ、脈動を解消することができるものの、落下強度が低下するという問題があった。
【特許文献１】特開２００６−１３１２３６号公報
【発明の開示】
【発明が解決しようとする課題】
【０００７】
本発明は、上記した従来技術の問題を解決するためになされたもので、その目的とするところは、開口性，落下強度を損なうことなく、脈動の発生しにくい流出性のよいステイオンタブ方式の易開封性缶蓋を提供することにある。
【課題を解決するための手段】
【０００８】
上記目的を達成するために、請求項１に係る発明は、缶蓋本体に突設したリベット部と缶蓋本体の周縁部との間に開口予定領域を画定する環状のスコアを刻設すると共に、該スコアのリベット部近傍部分を一部開いて開口予定領域内部と外部をつなぐヒンジ部とし、
前記リベット部に固定され先端部が開口予定領域に当接するタブによって開口予定領域を押し込んでスコアをヒンジ部の一端からヒンジ部の他端まで開口予定領域の周縁に沿って破断して開口部を形成し、破断した開口片をヒンジ部にて屈曲させて缶内に折り込む構造の易開封性缶蓋において、
前記リベット部とタブの中心を通る線を基準線とし、前記リベット部の中心から開口予定領域を隔ててリベット部と反対側のスコアと基準線との交点であるスコア先端部までの長さを開口部長さ（Ｌ）、基準線と直交する方向の最大幅を開口部幅（Ｗ）とすると、前記リベット部の位置を缶蓋本体の中心に対して基準線に沿って開口予定領域と反対側に偏芯させ、及び／又はスコア先端部を缶蓋本体の周縁部に近づけて、前記開口部長さ（Ｌ）を２３ｍｍ〜２８ｍｍの範囲に、かつ開口部幅（Ｗ）を２７ｍｍ以下に設定したことを特徴とする易開封性缶蓋。
上記「及び／又は」というのは、リベット部を偏芯させないでスコア先端部のみを缶蓋本体の周縁部に近づける場合、リベット部を偏芯させかつスコア先端部を缶蓋本体の周縁部に近づける場合の２つの場合を意味する。
【０００９】
請求項２に係る発明は、前記開口部長さ（Ｌ）を開口部幅（Ｗ）よりも長く設定したことを特徴とする。
【発明の効果】
【００１０】
請求項１に係る発明によれば、リベット部を反開口予定領域側に偏芯させ、及び／又はリベット部と反対側のスコア先端部を缶蓋本体の周縁部に近づけて、開口部長さ（Ｌ）を２３ｍｍ〜２８ｍｍの範囲に、かつ開口部幅（Ｗ）を２７ｍｍ以下に設定したので、開口性および物理的強度を損なうことなく開口面積を拡大することができ、流出時の脈動を押さえて流出性向上を図ることができる。
また、リベット部を偏芯させた場合には、飲用する際に、上唇とタブの間に隙間が形成され、上唇が自由になって飲みやすくなるという利点もある。
【００１１】
請求項２に記載のように、開口部長さＬを開口部幅Ｗよりも長くすることで、脈動が発生しにくく最適な流量でかつ開口性が良好な易開封性缶蓋が得られる。
【発明を実施するための最良の形態】
【００１２】
以下に本発明を図示の実施の形態に基づいて説明する。
図１は、本発明の実施の形態に係る易開封性缶蓋を示している。
図に示すように、この易開封性缶蓋１は、缶蓋本体２に突設したリベット部３と缶蓋本体２の周縁部との間に開口予定領域４を画定する環状のスコア５を刻設すると共に、スコア５のリベット部３近傍部分を一部開いて開口予定領域４の内部と外部をつなぐヒンジ部６とし、リベット部３に固定され先端部が開口予定領域に当接するタブ７によって開口予定領域４を押し込んでスコア５をヒンジ部６の一端から他端まで開口予定領域４の周縁に沿って破断して開口部８を形成し、破断した開口片９をヒンジ部６にて屈曲させて缶内に折り込む構造となっている。
【００１３】
缶蓋本体２は、円板状のパネル部２１と、このパネル部周縁２１ａから環状凹部２１ｂを介して立ち上がる周壁部２２と、この周壁部２２から外側に向かって延びて不図示の缶本体に巻き締められる巻締めカール部２３と、を備えた構成となっている。缶蓋本体２のパネル部２１には、開口予定領域４とタブ７を取り囲むように一段低くした扇状形状の段差２５が設けられている。
【００１４】
タブ７は剛性のある板状部材で、タブ７の先端部７１は開口予定領域４内に延びて開口予定領域４を押圧する押圧作用部として機能し、タブ７の他端はリベット部３に対して開口予定領域４と反対側に延びる指掛け部７２となっている。指掛け部７２は指掛け孔７２ａを備えたリング形状となっている。リベット部３とタブ７の中心を通る線を基準線Ｎとすると、押圧作用部７１は基準線Ｎ上に曲率中心を有する円弧形状に成形されている。
【００１５】
スコア５は、主スコア５１と主スコア５１の内側に所定間隔でもって並行して形成される補助スコア５２とを備えた二重構造で、前記リベット部３とタブ７の中心を通る線を基準線Ｎとすると、図２に示すように、リベット部３近傍に位置し基準線Ｎを横切るように設けられる初期破断部５Ａと、初期破断部５Ａの右端から開口予定領域４の周縁に沿って図中時計回り方向に延びるせん断破断部５Ｂとによって構成され、せん断破断部５Ｂの終端と初期破断部５Ａの左端との間がヒンジ部６となっている。初期破断部５Ａは中央部がリベット部３を迂回するように屈曲している。
【００１６】
開口予定領域４の基準線Ｎと直交方向の最大幅である開口部幅Ｗは、開口性と物理的強度を考慮して選択されるもので、２７ｍｍ以下、特に２４ｍｍ程度が好適である。この開口部幅Ｗは、図４（Ａ）に示した広口の易開封性缶蓋の開口部幅Ｗ１と同等である。開口部幅Ｗが１７ｍｍより小さくなるとスコアを開口できなくなることが経験的に知られており、開口部幅Ｗの下限は１７ｍｍ程度である。
【００１７】
一方、開口予定領域４の基準線Ｎ方向の長さである開口部長さ（Ｌ）は開口部幅（Ｗ）よりも長く設定されている。開口部長さ（Ｌ）は、図２に示すように、リベット部３の中心から開口予定領域４を隔ててリベット部３と反対側のスコア先端部ｂ（せん断破断部５Ｂと基準線Ｎとの交点）までの距離によって規定される。図示例では、リベット部３の位置を缶蓋本体２の中心Ｏに対して基準線Ｎに沿って開口予定領域４と反対側に偏芯させ、及び／又は、図１に示すようにスコア先端部ｂを缶蓋本体２の周縁部であるパネル周縁部２１ａに近づけて開口部長さ（Ｌ）を可及的に長くしている。パネル周縁部２１ａは、パネル部２１と環状凹部２１ｂとの角部アールの起点位置とする。
偏芯量Ｘは、蓋の径サイズ、求める開口部の大きさ、タブの長さ等により決定されるもので、２０６径の缶蓋では、５．５ｍｍ程度まで偏芯させることが可能である。偏芯量Ｘが５．５ｍｍを越えると、タブ７が周縁部に近付き、開口機構上問題がある。指掛かり性を考慮すると、偏芯量Ｘの好適長さは２〜３ｍｍである。
また、スコア先端部ｂとパネル周縁部２１ａまでの距離は、２．５ｍｍ程度まで近づけることが可能であり、開口部長さ（Ｌ）としては、２３ｍｍ〜２８ｍｍの範囲とすることが好適である。
２０４径の缶蓋では、偏芯量Ｘは、４．４ｍｍ程度まで偏芯させることが可能である。また、スコア先端部ｂとパネル周縁部２１ａまでの距離は、２０６径と同様に、２．５ｍｍ程度まで近づけることが可能であり、開口部長さ（Ｌ）としては、２３ｍｍ〜２６ｍｍの範囲とすることが好適である。
また、スコア５の残厚は、缶蓋本体２の材質、直径、肉厚等によって適宜設定されるが、基本的には、図４（Ａ）に示した従来の広口の缶蓋の場合と同等である。
【００１８】
本実施の形態の易開封性缶蓋によれば、開口部長さ（Ｌ）を２３ｍｍ〜２８ｍｍの範囲に、かつ開口部幅（Ｗ）を２７ｍｍ以下に設定したので、開口性および物理的強度を損なうことなく開口面積を拡大することができ、流出時の脈動を押さえて流出性向上を図ることができる。特に、開口部長さＬを開口部幅Ｗよりも長くすることで、脈動が発生しにくくなり、最適な流量で開口性が良好な易開封性缶蓋が得られる。
また、リベット部３を偏芯させているので、飲用する際に、上唇とタブ７の間に隙間が形成され、上唇が自由になって飲みやすい。
【００１９】
表１，表２及び図３には、２０６径で材質がアルミニウム合金である本発明の缶蓋サンプルＴ−６と、比較例として図４（Ａ）に示した同径，同材質の従来の通常の広口タイプの缶蓋サンプルＴ−０、図４（Ｃ）に示した同径，同材質の超広口タイプの缶蓋サンプルＴ−１についての流出量・残液量測定結果を示している。
各缶蓋サンプルの、開口部幅，開口部長さ、開口面積は次の通りである。
本発明の缶蓋サンプルＴ−６は、開口部幅Ｗが２４ｍｍ、リベット部３の偏芯量Ｘが２．４ｍｍで開口部長さＬが２５ｍｍ、開口面積が４７７ｍｍ２ である。
【００２０】
広口タイプの缶蓋サンプルＴ−０は、開口幅Ｗ１が２４ｍｍ、リベット部の偏芯量が０、開口部長さＬ１が２０ｍｍ、開口面積が３７１ｍｍ２である。
超広口の缶蓋サンプルＴ−１は、開口部幅Ｗ２が３１ｍｍ、リベット部の偏芯量が２．４ｍｍで開口部長さＬ２が２５ｍｍ、開口面積は６３０ｍｍ２ある。
評価試験は、各缶蓋サンプルを装着した容量３５０ｍｌの試験容器を傾けてその流量を検出するもので、７０°に傾けた場合（内容量半分程度で、飲用（注ぎ動作）を止めた状況）、１２０°傾けた場合（最後まで飲用した（注いだ）状況）について評価した。初期速度は４０［ｄｅｇ／ｓｅｃ］、保持時間は１０秒である。
【００２１】
保持角度７０°の評価試験１では、本発明の缶蓋サンプルＴ−６は、最大流量で９．６５［ｍｌ／０．１２５ｓｅｃ］と、超広口の缶蓋サンプルＴ−１ほどではないが、広口タイプの缶蓋サンプルＴ−０に比べて１．７５倍程度まで増大し、脈動も認められなかった（表１，図３（Ａ）乃至（Ｃ）参照）。缶内残液量、蓋上残液量も、広口タイプの缶蓋サンプルＴ−０よりも減少した（表１参照）。
【００２２】
また、保持角度１２０°の評価試験２では、本発明の缶蓋サンプルＴ−６は、最大流量で１１．７２［ｍｌ／０．１２５ｓｅｃ］と、超広口の缶蓋サンプルＴ−１ほどではないが、広口タイプの缶蓋サンプルＴ−０に比べて１．５６倍程度まで増大し、脈動も認められなかった（表２，図３（Ｄ）乃至（Ｆ）参照）。缶内残液量、蓋上残液量は、超広口タイプＴ−１と同等レベルであり、開口部長さを長くした影響、すなわち、リベット部３の偏芯以外に、スコア先端部ｂの位置が、従来蓋よりもパネル周縁部２１ａに近くなっていることに起因している。
【００２３】
次に、表３は、所定数の缶をケースに梱包した状態でケースを倒立状態で落下させるケース落下試験の結果を示している。
本願発明の開口部幅（Ｗ）が２４ｍｍの缶蓋サンプルＴ−６の場合、スコア残厚が下限値の場合でも１１０ｃｍをクリアした。開口部幅（Ｗ）が最大径の２７ｍｍの缶蓋サンプルＴ−７についても、実用上支障の無いレベルである８０ｃｍをクリアした。
【００２４】
一方、開口力については、本願発明の缶蓋サンプルＴ−６の場合、通常の広口タイプＴ−０の場合と同等である。
【００２５】
【表１】
2009096493.tif 000003
【００２６】
【表２】
2009096493.tif 000004
【００２７】
【表３】
2009096493.tif 000005
【図面の簡単な説明】
【００２８】
【図１】図１（Ａ）は本発明の実施の形態に係る易開封性缶蓋の開口前の状態の平面図、同図（Ｂ）は同図（Ａ）の開口状態の平面図、同図（Ｃ）は同図（Ａ）のスコア先端付近の基準線に沿った部分断面図である。
【図２】図２は図１の缶蓋のスコア形状を示す図である。
【図３】図３は本発明と従来の易開封性缶蓋の流出量・残液量測定結果を示すグラフである。
【図４】図４（Ａ）は従来の通常の広口の易開封性缶蓋の開口状態の平面図、同図（Ｂ）は同図（Ａ）の開口状態の平面図、同図（Ｃ）は従来の超広口タイプの易開封性缶蓋の平面図である。
【符号の説明】
【００２９】
１ 易開封性缶蓋
２ 缶蓋本体
２１ パネル部、２２ 周壁部、２３ 巻締めカール部
２１ａ  パネル周縁部（缶蓋本体の周縁部）、２１ｂ  環状凹部
３ リベット部
４ 開口予定領域
５ スコア 
５１ 主スコア、５２ 補助スコア
５Ａ 初期破断部、
６ ヒンジ部
７ タブ
７１ 先端部、７２ 指掛け部、７２ａ 指掛け孔
８   開口部
９   開口片
ｂ  スコア先端部
Ｌ   開口部長さ
Ｗ   開口部幅
Ｎ 基準線
Ｏ 缶蓋本体の中心
Ｘ  リベット部の偏芯量
【図１】
2009096493.tif 000006
【図２】
2009096493.tif 000007
【図３】
2009096493.tif 000008
【図４】
2009096493.tif 000009